(57)【特許請求の範囲】
【請求項１】
大径貫通孔を囲繞形成する肉厚周壁内に複数本の小径注入通路を等間隔に貫通形成してなる単位管体と、
この単位管体の外径とほぼ同じ外径の円板の両側面中央に、上記大径貫通孔の内径とほぼ同じ外径の棒状突起を突設するとともに、上記小径注入通路に対向一致することになる複数の通孔を開設してなる挿込み型のコネクターとからなり、
隣り合う単位管体の大径貫通孔にコネクターの棒状突起を嵌着するとともに、前者の小径注入通路と後者の通孔を対向一致させて、上記単位管体の複数本を、地山に穿設される穿設長尺穴の長さに適合する所要長さに接続することにより、一連の注入管路を複数本形成するようにしてなることを特徴とする地山固結工法用装置。
【請求項２】
複数の透孔を有し、地山に穿設される穿設長尺穴に嵌合配置するようにしてなる長尺覆管を備えてなることを特徴とする請求項１記載の地山固結工法用装置。
【請求項３】
コネクターが、上記円板の外周端面に、複数個の突起を放射状にして、かつ、その各先端を結ぶ仮想円が、上記穿設長尺穴または長尺覆管の内周よりやや小さいものにして突設してなることを特徴とする請求項１または２記載の地山固結工法用装置。
【請求項４】
上記単位管体およびコネクターが、塩化ビニル，ポリエチレン，ポリエステル，エポキシまたはＡＢＳ等の軽量にしてかつ可撓性を有する合成樹脂または所要の軽量金属により一体成型されていることを特徴とする請求項１，２または３記載の地山固結工法用装置。
【請求項５】
大径貫通孔を囲繞形成する肉厚周壁内に複数本の小径注入通路を等間隔に貫通形成してなる複数本の単位管体を、その単位管体の外径とほぼ同じ外径の円板の両側面中央に、上記大径貫通孔の内径とほぼ同じ外径の棒状突起を突設するとともに、上記小径注入通路に対向一致することになる複数の通孔を開設してなる挿込み型のコネクターにより、前者の小径注入通路と後者の通孔を対向一致させて、地山に穿設される穿設長尺穴またはそれに嵌合配置の長尺覆管の長さに適合する所要長さに接続し、一連の注入管路を複数本形成すること、
上記各注入管路ごとに、その所要位置に吐出口を設けること、
その各吐出口が位置する単位管体の小径注入通路内にしてかつ該吐出口の上流側に、混合器を内蔵すること、
同各吐出口の下流側至近位置において、小径注入通路内またはコネクターの通孔に所要の詰め物をして該部分を閉塞すること、
その後、上記所要長さに接続の複数本の単位管体を、地山の穿設長尺穴またはそれに嵌合配置した長尺覆管に挿入するとともに、上記一連の注入管路に薬液を送給し、その口元側の吐出口から順次吐出し、地山に圧入することを特徴とする地山固結工法。
【請求項６】
単位管体の吐出口を覆蓋で閉じておき、それを薬液の注入時の内圧により開いて当該薬液を吐出することを特徴とする請求項５記載の地山固結工法。
【発明の詳細な説明】
【０００１】
【発明の属する技術分野】
本発明は、例えば、トンネルの切羽面やその天盤部に所定の間隔で複数の穿設長尺穴を設け、その各穿設長尺穴を介し周辺の脆弱または不安定な地山に固結用薬液を圧入して固結領域を形成する地山固結工法用装置とその工法に関する。
【０００２】
【従来の技術】
この種の装置および工法として知られている、特公平７−８１４８４号公報記載のものは、図１１に示すように、地山１に設けた穿設長尺穴１′にほぼ内接状態にして嵌合配置した長尺覆管２の内部に、長さを異にする複数の長尺注入管３を、複数の隔壁板４に挿通することにより結束状態にして挿入し、その各長尺注入管３の先端開口から吐出した薬液を、上記長尺覆管２の周壁孔５および上記穿設長尺穴１′の周壁を通じて地山１に圧入することを内容とする。
【０００３】
また、第２７８８４５６１号特許公報記載のものは、図１２に示すように、地山１に設けた穿設長尺穴１′内に、長さを異にする複数の長尺注入管３を紐６で結束状態にして挿入し、その各長尺注入管３の先端開口または先端近傍開口７から吐出した薬液を、上記穿設長尺穴１′の周壁を通じて地山１に圧入することを内容とする。
【０００４】
さらに、特開平７−３００８５０号公報記載のものは、図１３に示すように、地山１に設けた穿設長尺穴１′にほぼ内接状態にして嵌合配置した長尺覆管２の内部に、長さを異にする複数本の長尺注入管３を、長尺内装管８の周囲に沿わせることにより結束状態にして挿入し、その各長尺注入管３の先端開口から吐出した薬液を、上記長尺覆管２の周壁孔５および上記穿設長尺穴１′の周壁を通じて地山１に圧入することを内容とする。
【０００５】
【発明が解決しようとする課題】
上記においては、第１に、地山１の穿設長尺穴１′には穿設時に発生した土砂が残留しているために、結束状態の長尺注入管３の挿入作業に支障を来すとともに、その残留土砂が長尺注入管３の先端の開口を閉塞し、薬液の吐出を不能にするおそれがある。
【０００６】
第２に、通常、穿設長尺穴１′は、口元側（すなわち手前側）から内奥側（すなわち先方側）に上り傾斜をなして穿設形成され、また、その穿設長尺穴１′または該穴１′に嵌合配置した長尺覆管２に挿入された結束状態の長尺注入管３は、その穿設長尺穴１′または長尺覆管２内の下側に偏心位置することになる。
そのために、各長尺注入管３から穿設長尺穴１′または長尺覆管２内へ吐出した薬液が上記口元側に流下し、さらにまた、周辺の地山１の薬液圧入領域への圧入バランスも悪くなる。
【０００７】
第３に、一般に、上記穿設長尺穴１′は１０〜２０ｍに及ぶ文字どおり長尺なものであるが、その穿設長尺穴１′に、普通は比較的小径のチューブである長尺注入管３を挿入する作業は、事前の結束作業も含め必ずしも容易ではない。
【０００８】
第４に、穿設長尺穴１′内に長尺覆管２を嵌合配置し、薬液圧入後の地山にその長尺覆管２を埋め殺し状態にする工法においては、該長尺覆管２内に薬液を残留固結させる必要性に乏しいとされていると認められる。
この点について、前出の特開平７−３００８５０号公報記載のもの、すなわち、図１３に示すものでは、長尺注入管３を沿わせ結束状態にしている長尺内装管８が、長尺覆管２の内空間を占める分だけ、長尺覆管２内に残留し固結する薬液量を少なくすることに寄与しているとみなされる。
【０００９】
本発明の目的は、上記第１〜３の不利ないしは欠点を解消し、あわせて、薬液の不要な残留量を極力少なくし薬液コストを低減しようとするものである。
【００１０】
【課題を解決するための手段】
請求項１記載の本発明地山固結工法用装置は、次の構成からなる。
（１）大径貫通孔１０を囲繞形成する肉厚周壁１１内に複数本の小径注入通路１２−１〜１２−６を等間隔に貫通形成してなる単位管体ａと、
（２）この単位管体ａの外径とほぼ同じ外径の円板１３の両側面中央に、上記大径貫通孔１０の内径とほぼ同じ外径の棒状突起１４−１，１４−２を突設するとともに、上記小径注入通路１２−１〜１２−６に対向一致することになる複数の通孔１５−１〜１５−６を開設してなる挿込み型のコネクターｂとからなり、（３）隣り合う単位管体ａ，ａの大径貫通孔１０にコネクターｂの棒状突起１４−１，１４−２を嵌着するとともに、前者の小径注入通路１２−１〜１２−６と後者の通孔１５−１〜１５−６を対向一致させて、上記単位管体ａの複数本を、地山ｃに穿設される穿設長尺穴ｃ′の長さに適合する所要長さに接続することにより、一連の注入管路ｄ１〜ｄ６を複数本形成するようにしてなること。
【００１１】
請求項２記載の本発明は、複数の透孔ｉ′を有し、地山ｃに穿設される穿設長尺穴ｃ′に嵌合配置するようにしてなる長尺覆管ｉを備えてなる請求項１記載の地山固結工法用装置である。
【００１２】
請求項３記載の本発明は、コネクターｂが、上記円板１３の外周端面に、複数個の突起１６を放射状にして、かつ、その各先端を結ぶ仮想円が、上記穿設長尺穴ｃ′または長尺覆管ｉの内周よりやや小さいものにして突設してなる請求項１または２記載の地山固結工法用装置である。
【００１３】
請求項４記載の本発明は、上記単位管体ａおよびコネクターｂが、塩化ビニル，ポリエチレン，ポリエステル，エポキシまたはＡＢＳ等の軽量にしてかつ可撓性を有する合成樹脂または所要の軽量金属により一体成型されている請求項１，２または３記載の地山固結工法用装置である。
【００１４】
請求項５記載の本発明地山固結工法は、次の構成からなる。
（１）大径貫通孔１０を囲繞形成する肉厚周壁１１内に複数本の小径注入通路１２−１〜１２−６を等間隔に貫通形成してなる複数本の単位管体ａを、その単位管体ａの外径とほぼ同じ外径の円板１３の両側面中央に、上記大径貫通孔１０の内径とほぼ同じ外径の棒状突起１４−１，１４−２を突設するとともに、上記小径注入通路１２−１〜１２−６に対向一致することになる複数の通孔１５−１〜１５−６を開設してなる挿込み型のコネクターｂにより、前者の小径注入通路１２−１〜１２−６と後者の通孔１５−１〜１５−６を対向一致させて、地山ｃに穿設される穿設長尺穴ｃ′またはそれに嵌合配置の長尺覆管の長さに適合する所要長さに接続し、一連の注入管路ｄ１〜ｄ６を複数本形成すること、
（２）上記各注入管路ｄ１〜ｄ６ごとに、その所要位置に吐出口ｅ１〜ｅ６を設けること、
（３）その各吐出口ｅ１〜ｅ６が位置する単位管体ａの小径注入通路１２−１〜１２−６内にしてかつ該吐出口ｅ１〜ｅ６の上流側に、混合器１７を内蔵すること、
（４）同各吐出口ｅ１〜ｅ６の下流側至近位置において、小径注入通路１２−１〜１２−６内またはコネクターｂの通孔１５−１〜１５−６に所要の詰め物をして該部分を閉塞すること、
（５）その後、上記所要長さに接続の複数本の単位管体ａを、地山ｃの穿設長尺穴ｃ′またはそれに嵌合配置した長尺覆管ｉに挿入するとともに、上記一連の注入管路ｄ１〜ｄ６に薬液を送給し、その口元側の吐出口ｅ１〜ｅ６から順次吐出し、地山に圧入すること。
【００１５】
請求項６記載の本発明は、単位管体ａの吐出口ｅ１〜ｅ６を覆蓋１８で閉じておき、それを薬液の注入時の内圧により開いて当該薬液を吐出する請求項５記載の地山固結工法である。
【００１６】
【発明の実施の形態】
以下図示の実施形態についてさらに詳しく説明する。
【００１７】
ａは、中央に大径貫通孔１０を囲繞形成する肉厚周壁１１内に、該大径貫通孔１０に平行に走行する６本の小径注入通路１２−１〜１２−６をたがいに等間隔に貫通形成してなる単位管体で、それは、塩化ビニル，ポリエチレン，ポリエステル，エポキシまたはＡＢＳ等の軽量にしてかつ可撓性を有する合成樹脂、または所要の軽量金属により一体成型してなる。
【００１８】
ｂは上記単位管体ａを接続するのに使用する挿込み型のコネクターである。  このコネクターｂは、上記単位管体ａの外径と同じ外径の円板１３の両側面中央に、上記大径貫通孔１０の内径とほぼ同じ外径の棒状突起１４−１，１４−２を突設するとともに、その棒状突起１４−１，１４−２の外方に、上記単位管体ａの小径注入通路１２−１〜１２−６に対向一致することになる６個の通孔１５−１〜１５−６を開設し、さらに、円板１３の外周端面に、所要の間隔例えば１２０°間隔で、３個の突起１６を放射状に突設してなる。
これら３個の突起１６は、その各先端を結ぶ仮想円が、地山ｃに設ける穿設長尺穴ｃ′の内周よりやや小さいものになるように設定してある。
【００１９】
また、上記コネクターｂは、上記単位管体ａと同じように、塩化ビニル，ポリエチレン，ポリエステル，エポキシまたはＡＢＳ等の軽量にしてかつ可撓性を有する合成樹脂、または所要の軽量金属により一体成型してなる。
【００２０】
本発明地山固結装置Ａは、複数本の上記単位管体ａを上記コネクターｂにより接続することによって、地山ｃに穿設される穿設長尺穴ｃ′の長さに適合する所要長さに組み立てられる。
その接続は、隣り合う単位管体ａ，ａの大径貫通孔１０とコネクターｂの棒状突起１４−１，１４−２とを嵌着するとともに、前者の小径注入通路１２−１〜１２−６と後者の通孔１５−１〜１５−６を対向一致させる。
これによって、接続された複数本の単位管体ａが、その小径注入通路１２−１〜１２−６をコネクターｂの通孔１５−１〜１５−６を介して連続する一連の注入管路ｄ１〜ｄ６（ｄ３〜ｄ５は表示していない。以下同じ）を形成することとなる。
【００２１】
上記の接続作業においては、各注入管路ｄ１〜ｄ６ごとに、その所要位置（地山ｃの予め設定した薬液圧入領域に対応する位置）に吐出口ｅ１〜ｅ６（ｅ３〜ｅ５は表示していない。以下同じ）を設け、かつ、その各吐出口ｅ１〜ｅ６が位置する単位管体ａの小径注入通路１２−１〜１２−６内にして、かつ、薬液の上流側には、混合器１７を内蔵する（図５）。
また、その際、各吐出口ｅ１〜ｅ６の下流側至近位置において、小径注入通路１２−１〜１２−６内またはコネクターｂの通孔１５−１〜１５−６に所要の詰め物（図示していない）をして該部分を閉塞する。
【００２２】
本発明地山固結装置Ａは、このような構成であることによって、注入管路ｄ１〜ｄ６に送給された薬液（特に２液混合型薬液）が、上記混合器１７で十分に混合した後、吐出口ｅ１〜ｅ６から確実に吐出し、各注入管路ｄ１〜ｄ６の下流側先方に無用に流れることがないようになっているものである。
【００２３】
本発明地山固結装置Ａによる地山ｃへの薬液注入作業、すなわち、本発明地山固結工法は、次のようにして行われる。
【００２４】
まず、地山ｃに所要の口径の穿設長尺穴ｃ′を、所要の勾配、すなわち、口元側（すなわち手前側）から内奥側（すなわち先方側）に上り傾斜をなす所要の角度にして穿設形成する。
そして、上記のように、複数本の単位管体ａをコネクターｂにより接続することにより穿設長尺穴ｃ′の長さに適合する所要長さに組み立てた上記本発明地山固結装置Ａを、その穿設長尺穴ｃ′に挿入する。
【００２５】
挿入された本発明地山固結装置Ａは、コネクターｂの突起１６により、各単位管体ａを穿設長尺穴ｃ′にほぼ同心状態に支持され、また、最も手前の単位管体ａの口元ａ′の所要長さを、穿設長尺穴ｃ′の開口ｃ″から突出させる。
【００２６】
次に、穿設長尺穴ｃ′の開口ｃ″と上記口元ａ′との間を発泡性樹脂ｆで口元コーキングするとともに、上記の最も手前の単位管体ａの小径注入通路１２−１〜１２−６に、薬液送給ホース（図示していない）を接続する接続管ｇを連結装着する（図１，２）。
【００２７】
その後、上記薬液送給ホースおよび接続管ｇを通じ、上記注入管路ｄ１〜ｄ６に所定の薬液を送給して、吐出口ｅ１〜ｅ６から穿設長尺穴ｃ′に吐出するとともに、該穿設長尺穴ｃ′の周壁を通じて地山１に圧入する。
この場合、薬液を吐出口ｅ１〜ｅ６の全部から同時に吐出させ、穿設長尺穴ｃ′の全長にわたり予め設定した薬液圧入領域の全体に一斉に圧入することも可能であるが、吐出口ｅ１〜ｅ６に対応する薬液圧入領域ごとに各別に圧入することもでき、それは、地山ｃの脆弱状況や亀裂の具合、あるいはまた、使用する薬液の性質等に基づき、適宜決定施工するとよいものである。
【００２８】
ところで、穿設長尺穴ｃ′は、その穿設時に発生する土砂を効率よく排出する等の必要性から、通常は上記のように、口元側（すなわち手前側）から内奥側（すなわち先方側）に上り傾斜をなす所要の角度に穿設形成される。
このため、薬液を吐出口ｅ１〜ｅ６の全部から同時に吐出させた場合、その薬液は、穿設長尺穴ｃ′の口元側（すなわち手前側）に流下し易く、したがって、穿設長尺穴ｃ′の吐出口ｅ１〜ｅ６に対応する各薬液圧入領域への圧入が不均等になるおそれがあるとともに、その各薬液圧入領域間においても圧入薬液の流下現象が起こり、その各薬液圧入領域の固結状態に差異をもたらすおそれをなしとしない。
【００２９】
そこで、本実施形態においては、図６に示すように、最初に、穿設長尺穴ｃ′の開口ｃ″すなわち口元に最も近い吐出口ｅ６から、これに対応する薬液圧入領域ｈに対し薬液圧入を行い、順次、次順位の吐出口からそれぞれに対応する薬液圧入領域に各別に圧入を行う。
【００３０】
これにより、前順位の吐出口から吐出した薬液（またはその固結領域）が、次順位の吐出口から吐出した薬液（またはその固結領域）に対し、バルクヘッドとなって、その流下を阻止し、結果的には、穿設長尺穴ｃ′の全長にわたる薬液圧入領域全部に薬液を均等に圧入し、周辺の地山ｃに均等な固結領域を形成することができるものである。
【００３１】
図７は、地山ｃに形成した穿設長尺穴ｃ′に、それとほぼ同径の長尺覆管ｉを嵌合配置し、さらに、その長尺覆管ｉに上記構成の本発明地山固結装置Ａを挿入して、薬液を一旦吐出口ｅ１〜ｅ６から長尺覆管ｉに吐出させるとともに、それを、該長尺覆管ｉに形成してある透孔ｉ′および穿設長尺穴ｃ′の周壁を通じ、対応する薬液圧入領域に圧入するようにした例を示している。
【００３２】
なお、上記長尺覆管ｉの穿設長尺穴ｃ′への嵌合配置は、所要の手段で予め形成した穿設長尺穴ｃ′に対し事後的に長尺覆管ｉを挿入することによるか、該穿設長尺穴ｃ′を穿設しながら同時にその長尺覆管ｉを挿入することによるかは、地山ｃの性状等に対処し任意に選択できる。
【００３３】
図８（ａ）（ｂ）は、上記吐出口ｅ１〜ｅ６の各々を、開閉自在な覆蓋１８で覆った例を示したものである。
その覆蓋１８は、スポンジ状の合成樹脂やゴムまたは薄肉鉄板製の環状帯をなし、これを吐出口ｅ１〜ｅ６を開設した単位管体ａに嵌合装着することにより対応する吐出口ｅ１〜ｅ６を閉じているものであるが、薬液注入時に０．１ＭＰａ以上の内圧が作用すると、その吐出口ｅ１〜ｅ６を開き、薬液を吐出することができるようにしてある。
【００３４】
この覆蓋１８の存在によって、吐出口ｅ１〜ｅ６は、穿設長尺穴ｃ′に残留している土砂で閉塞されたり、湧水を導入してしまうことがなく、薬液を確実に吐出することができるもので、これにより一連の注入作業を円滑に実施できる。
【００３５】
図９（ａ）（ｂ）は、上記単位管体ａを接続するのに使用する嵌合型のコネクターｊを示すものである。
このコネクターｊは、上記単位管体ａの外径とほぼ同じ内径にした円筒１９の外周面に、所要の間隔例えば１２０°間隔で、３個の突起２０を放射状に突設してなる。これら３個の突起２０は、その各先端を結ぶ仮想円が、地山ｃに穿設される穿設長尺穴ｃ′の内周よりやや小さいものになるように設定してある。
【００３６】
また、上記コネクターｊは、上記単位管体ａおよびコネクターｂと同じように、塩化ビニル，ポリエチレン，ポリエステル，エポキシまたはＡＢＳ等の軽量にしてかつ可撓性を有する合成樹脂、または所要の軽量金属により一体成型してなる。
【００３７】
このコネクターｊによる単位管体ａの接続は、図１０に示すように、隣り合う単位管体ａ，ａの端部をコネクターｊの円筒１９にその両側から挿着することによって行い、これによって、複数本の単位管体ａを接続することによって、地山ｃに穿設される穿設長尺穴ｃ′の長さに適合する所要長さに組み立て、本発明地山固結装置Ｂとするもので、この場合に、穿設長尺穴ｃ′に長尺覆管ｉを嵌合配置するか否か、吐出口の上流側に混合器１７を内蔵させること、同下流側を詰め物をして閉塞すること等は、上記装置Ａのときと同様に取り扱うことができ、さらには、本装置Ｂによる地山ｃへの薬液注入作業、すなわち、本発明地山固結工法は、上記装置Ａによる場合と同じであるので、重複の弊を避けるためその説明を省略する。
【００３８】
【発明の効果】
以上述べたところから明らかなように、本発明によれば次の効果を奏する。
【００３９】
本発明は、複数本の単位管体を、コネクターにより接続することによって、地山の穿設長尺穴またははこれに嵌合配置した長尺覆管の長さに適合させ、かつ、それによって、各単位管体のたがいに連続する小径注入通路が形成する一連の注入管路を複数本形成することができ、しかも、その所要の注入管路の途中に設けた吐出口であって、薬液送給の口元側の吐出口から順次薬液を吐出し、地山に圧入することができるものである。
【００４０】
したがって、従来のように先端開口を有する長尺注入管を複数本結束した状態にして、地山の穿設長尺穴またはこれに嵌合配置した長尺覆管に挿入する場合と相違し、予め当該穿設長尺穴または長尺覆管の長さに見合う長尺な注入管を用意しておく必要がないとともに、挿入作業が容易になり、特に上記穿設長尺穴の穿設時に発生し残留している土砂により、長尺注入管の先端開口が閉塞され薬液の吐出を不能にするといったおそれも解消される。
【００４１】
本発明においては、接続した複数本の単位管体が、コネクターに所要の突起を設けることにより、地山の穿設長尺穴またはこれに嵌合配置した長尺覆管内に同心状態に支持できるから、従来の複数本結束状態の長尺注入管を穿設長尺穴または長尺覆管に単に挿入する場合のように、その穿設長尺穴または長尺覆管の下側に偏心位置させることがなく、したがって、地山の薬液圧入領域への圧入バランスを保持できる。
【００４２】
本発明においては、大径貫通孔を有する単位管体が、地山の穿設長尺穴またはこれに嵌合配置した長尺覆管に挿入され、これらの内部空間を占めることになるので、その分だけ、注入時の薬液が穿設長尺穴またはこれに嵌合配置した長尺覆管に無用に残留する量を減らすことができ、経済的である。
【図面の簡単な説明】
【図１】  本発明の一実施形態に係る地山固結工法用装置を地山の穿設長尺穴に挿入した状態の横断平面図で、各単位管体の接続状況を説明するためのものである。
【図２】  同じく、本発明の第１実施形態に係る地山固結工法用装置を地山の穿設長尺穴に挿入した状態の横断平面図で、各単位管体の小径注入通路の接続状況と吐出口の配置を説明するためのものである。
【図３】  上記単位管体の縦断面図である。
【図４】  （ａ）は上記単位管体を接続する挿込み型のコネクターの斜視図、（ｂ）はその正面図である。
【図５】  上記単位管体の小径注入通路に混合器を内蔵した状態を説明するための平面図である。
【図６】  本発明の上記装置による地山への薬液圧入状況を説明するための横断平面図である。
【図７】  地山の穿設長尺穴に長尺覆管を嵌合配置し、その長尺覆管に本発明の上記装置を挿入した状態の横断平面図である。
【図８】  （ａ）は上記単位管体の吐出口を覆蓋で覆った状態を説明するための平面図、（ｂ）はその要部縦断面図である。
【図９】  （ａ）は上記単位管体を接続する嵌合型のコネクターの正面図、（ｂ）はその側面図である。
【図１０】  上記嵌合型のコネクターにより接続した上記単位管体による本発明装置を、地山の穿設長尺穴に嵌合配置した長尺覆管に挿入した状態の横断平面図である。
【図１１】  地山の穿設長尺穴に挿入した従来公知の地山固結工法用装置の横断平面図である。
【図１２】  同じく地山の穿設長尺穴に挿入した従来公知の他の地山固結工法用装置の横断平面図である。
【図１３】  同じく地山の穿設長尺穴に挿入した従来公知のさらに他の地山固結工法用装置の縦断面図である。
【符号の説明】
ａ          単位管体
ｂ          挿込み型のコネクター
ｃ          地山
ｃ′        穿設長尺穴
ｄ１〜ｄ６  注入管路
ｅ１〜ｅ６  吐出口
ｉ′        透孔
ｉ          長尺覆管
ｊ          嵌合型のコネクター
１０        大径貫通孔
１１        肉厚周壁
１２−１〜１２−６    小径注入通路
１３        円板
１４−１，１４−２    棒状突起
１５−１〜１５−６    通孔
１６        突起
１７        混合器
１８        覆蓋
１９        円筒
２０        突起
【図１】
0003640208.tif 000002
【図２】
0003640208.tif 000003
【図３】
0003640208.tif 000004
【図４】
0003640208.tif 000005
【図５】
0003640208.tif 000006
【図６】
0003640208.tif 000007
【図７】
0003640208.tif 000008
【図８】
0003640208.tif 000009
【図９】
0003640208.tif 000010
【図１０】
0003640208.tif 000011
【図１１】
0003640208.tif 000012
【図１２】
0003640208.tif 000013
【図１３】
0003640208.tif 000014